(57)【要約】【課題】カメラを大型化することなく、電池装填部の近傍にコネクタを配置する。【解決手段】被写体像を形成する撮影光学系と、電池が装填される電池装填部と、電池装填部における電池装填方向の端面に配置され、電池を排出方向に付勢するバネ（５８）と、電池装填部に装填された前記電池の電極に接触する電池接片（５６）と、外部接続用のコネクタ（５７）が実装される基板とを有するカメラを設ける。上記バネ（５８）は、撮影光学系の光軸と直交する方向にてコネクタ（５７）と電池接片（５６）との間に配置されている。【選択図】図３
2010224562.tif 000002
【特許請求の範囲】
【請求項１】
被写体像を形成する撮影光学系と、
電池が装填される電池装填部と、
前記電池装填部における電池装填方向の端面に配置され、前記電池を排出方向に付勢するバネと、
前記電池装填部に装填された前記電池の電極に接触する電池接片と、
外部接続用のコネクタが実装される基板とを有し、
前記バネは、前記撮影光学系の光軸と直交する方向にて前記コネクタと前記電池接片との間に配置されていることを特徴とするカメラ。
【請求項２】
被写体像を形成する撮影光学系と、
電池が装填される電池装填部と、
前記電池装填部における電池装填方向の端面に配置され、前記電池を排出方向に付勢するバネと、
前記電池装填部に装填された前記電池の電極に接触する電池接片と外部接続用のコネクタが実装される基板とを有し、
前記基板を前記電池装填部の一方面に配置する際に、前記電池接片と前記コネクタが前記撮影光学系の光軸と直交する方向で前記バネを挟むように、前記電池接片および前記コネクタは前記基板に実装されていることを特徴とするカメラ。
【発明の詳細な説明】
【技術分野】
【０００１】
本発明は、カメラにおける電池装填部の構造に関する。
【背景技術】
【０００２】
デジタルカメラには、電源となる電池を収納する電池室と、デジタルカメラを外部機器と接続するためのコネクタとを設けることが知られている（特許文献１参照）。
【先行技術文献】
【特許文献】
【０００３】
【特許文献１】特開平１１−２６１８５８号公報
【発明の概要】
【発明が解決しようとする課題】
【０００４】
従来のデジタルカメラでは、外部機器と接続するためのコネクタがグリップとは反対側に配置されていた。しかし、デジタルカメラが小型化する一方で、レンズ鏡筒の大型化や画像表示モニタの大型化したことで、コネクタをグリップとは反対側に配置することが困難になっている。したがって、必然的にコネクタをグリップ側に配置しなければならないが、グリップ側には電池収納部が配置されているため、コネクタを配置する十分なスペースを確保しにくいという課題があった。
【０００５】
本発明の目的は、カメラを大型化することなく、電池装填部の近傍にコネクタを配置することにある。
【課題を解決するための手段】
【０００６】
上記課題を解決するために、本発明のカメラは、被写体像を形成する撮影光学系と、電池が装填される電池装填部と、前記電池装填部における電池装填方向の端面に配置され、前記電池を排出方向に付勢するバネと、前記電池装填部に装填された前記電池の電極に接触する電池接片と、外部接続用のコネクタが実装される基板とを有し、前記バネは、前記撮影光学系の光軸と直交する方向にて前記コネクタと前記電池接片との間に配置されていることを特徴とする。
【発明の効果】
【０００７】
本発明によれば、カメラを大型化することなく、電池装填部の近傍にコネクタを配置することが可能となる。
【図面の簡単な説明】
【０００８】
【図１】本発明の実施例のカメラの分解斜視図である。
【図２】本発明の実施例のカメラの分解斜視図である。
【図３】本発明の実施例の電池ケース回りを示す図である。
【図４】電池の上面の空間の部品の配置を示す図である。
【発明を実施するための形態】
【０００９】
以下、本発明の実施例について図面を参照しながら説明する。
【００１０】
（実施例）
図１は、本発明の実施例であるデジタルカメラ（電子機器）の分解斜視図であり、図２は、図１とは別の方向から見たときの分解斜視図である。これらの図において、１はカメラの正面側を覆うフロントカバー、２は裏側を覆うリアカバーであり、フロントカバー１及びリアカバー２によりカメラ外装が構成される。なお、デジタルカメラには、不図示の撮像素子（例えば、ＣＣＤセンサ、ＣＭＯＳセンサ）が組み込まれており、撮像素子に結像した被写体像は、電気信号に変換され、画像信号として出力される。
【００１１】
３は撮影レンズ（撮影光学系）等を保持するレンズ鏡筒であり、このレンズ鏡筒３にはファインダーユニット、ズームモータおよびギアユニットが組み込まれている。そして、レンズ鏡筒３は、固定ねじ７ａ、７ｂ，７ｃによりベース８に固定される。
【００１２】
９は電池５１を保持するための電池ケースであり、ねじ１１ａ、１１ｂによってベース８に固定される。１０はアナログ基板（第２の基板）であり、電池ケース９及びベース８の間に組み込まれている。
【００１３】
図３、図４に示すように、電池ケース９の一面には、矩形状の開口部９ａが設けられており、この開口部９ａは、電池ケース９及びベース８の間に組み込まれたアナログ基板１０によって覆われている。
【００１４】
５１はデジタルカメラの駆動源としての電池であり、電池ケース９に装着（装填）される。
【００１５】
電池ケース９には、装着された電池５１の上面略中央に接触する排出バネ５８が設けられている。電池５１を電池ケース９に装着する際に、排出バネ５８が電池５１によってチャージされ、電池５１が電池ケース９に装着された状態で、電池ロック解除ボタンを押しこむと、チャージされた排出バネ５８のバネ力によって、電池５１が電池ケース９から排出される。
【００１６】
また、アナログ基板１０の電池ケース９側の面には、電池接片５６、映像、音声などのアナログ信号を出力する外部接続用のコネクタ５７（第２のコネクタ）が実装されており、電池ケース９に設けられた凹部に組み合わせられるように配されている。
【００１７】
さらに、アナログ基板１０の電池ケース９側の面には、基板上のスルーホール等を保護するための絶縁シート（不図示）が貼り付けられている。この絶縁シートには、略３角形状の穴が形成されている。
【００１８】
この穴の位置は電池５１上にある挿入方向指示マーク（不図示）に左右方向を略同一とし、この位置を合わせて電池５１を電池ケース９に挿入することで、電池５１の挿入動作を容易にしている。また、絶縁シートに設けられた穴の位置にはアナログ基板１０上にシルク印刷をあらかじめ行っておくことにより、穴の視認性を向上させている。
【００１９】
１２は照明部１３が上部に配置された照明ユニットであり、カメラ下方に延びるフレーム部分に照明駆動回路を実装した照明フレキ１４が貼り付けられるとともに、照明コンデンサー１５が固定されている。
【００２０】
そして、照明ユニット１２は、レンズ鏡筒３に組みつけられたギアユニットおよびズームモータの前面に配置され、側面よりビスによりベース８に固定されている。ここで、照明部１３のカメラ横方向における寸法は、その光軸方向後部に配置された上記ギアユニットおよびズームモータのカメラ横方向における寸法の総和と略同一に設定されている。これにより、照明部１３の光軸方向後方に形成されたスペースを有効に活用することができる。
【００２１】
１７はＣＰＵ、メモリ、画像処理ＬＳＩ等が実装されたデジタル基板（第１の基板）である。デジタル基板１７は、アナログ基板１０に対向しており、背面側に外部メモリであるＳＤメモリカード１７ｂのスロット１７ａおよびデジタル信号を出力するＵＳＢコネクタ１７ｃ（第１のコネクタ）が実装されている。このＵＳＢコネクタ１７ｃ及び上述のアナログ信号用のコネクタ５７は、デジタル基板１７とアナログ基板１０とが対向する方向に並んで配置されている。そして、デジタル基板１７は、ねじ１８ａ〜１８ｃによって電池ケース９およびベース８に締結されている。
【００２２】
１９はレリーズＳＷ、電源ＳＷ等を実装した操作フレキであり、２０はスピーカーであり、その端子部には操作フレキ１９の一端がはんだ付けされている。２１はシリコンゴムによって構成された操作ボタンベース部材であり、一方の面に十字ボタン２２、センターボタン２３及び押しボタン２４、２５が貼り付けられている。
【００２３】
操作ボタンベース部材２１の他方の面には、上述の操作ボタン２２〜２５に対応するように、ドーム状の金属の皿（メタルドーム）が貼り付けられている。各操作ボタン２２〜２５を押すと、メタルドームが操作フレキ１９に形成されたパターンに接触して通電するように構成されている。
【００２４】
また、２１ａは、操作ボタンベース部材２１に形成されたリング形状の緩衝部であり、スピーカー２０のふちを囲むように構成されている。この緩衝部２１ａによれば、スピーカー２０及びリアカバー２の隙間を塞ぐことができる。その結果、従来スピーカー上部に貼り付けられていた、音漏れの防止などの役割を果たしていたウレタンフォームなどの緩衝部材を省略することができるため、コストを削減することができる。
【００２５】
２６は発光ボタンであり、その中心部にはカメラの前後方向に移動可能な凸状の導光部材２７が貼り付けられている。この導光部材２７のカメラ前方側には、アナログ基板１０上に実装されたタクトＳＷ１０ａが設けられており、導光部材２７をカメラ前方に押し込むことによって、タクトＳＷ１０ａがスイッチングされるようになっている。
【００２６】
そして、タクトＳＷ１０ａの光軸直交方向近傍には、ＬＥＤ１０ｂが配されており、このＬＥＤ１０ｂから発せられた光は、導光部材２７を介して、発光ボタン２６の表面に導かれるように構成されている。発光ボタン２６は、そのベース部分がねじ２８によってベース８に固定されている。
【００２７】
２９はＬＣＤパネルであり不図示のバックライトとともにＬＣＤホルダー３０に保持されている。そして、該ＬＣＤホルダー３０は、ねじ３１によってベース８に固定される。
【００２８】
３２はカメラの動作モードを切り替える切り替えボタンであり、この切り替えボタン３２を左右方向（カメラの横方向）にスライドさせることにより、静止画撮影モード、動画撮影モード及び撮影画像再生モードに切り替えることができる。
【００２９】
切り替えボタン３２は、固定板３３とともにリアカバー２を挟み込むことでカメラの左右方向にスライド動作可能に構成される。また、切り替えボタン３２は、固定板３３の開口部３３ａが操作フレキ１９上に実装された不図示のモード切替ＳＷの腕部を保持することにより、該モード切替ＳＷが切り替わるように構成されている。
【００３０】
３４はズームダイアル３５、レリーズボタン３６及びパワーボタン３７を保持するボタン保持部材であり、電池ケース９の上面に操作フレキ１９を挟んで配置される。また、ボタン保持部材３４の一端には、カメラの下側領域に延びるコネクタカバー３８が設けられており、このコネクタカバー３８は、ＵＳＢコネクタ１７ｃ及び映像と音声用のコネクタ５７を収容する不図示のコネクタ収容部を覆っている。
【００３１】
４１はストラップ紐４２を取り付けるためのストラップ取付部材であり、強度とデザイン上の観点からダイキャストにより成型されている。このストラップ取付部材４１は、カメラの側面を覆うとともに、その略中央には、長穴部４１ａ、４１ｂが形成されている。そして、これらの長穴部４１ａ、４１ｂに挟まれた引っ掛け部４１ｃにストラップ紐４２がかけられるようになっている。
【００３２】
４３は、ストラップ取付部材４１の内側の面に対向する面が、球面であるインナー部材であり、ストラップ取付部材４１の内側から長穴部４１ａ、４１ｂにはめ込まれている。
【００３３】
これにより、ストラップ紐４２を、カメラの外側から一方の長穴部４１ａに挿入するとともに、インナー部材４３の球面上を滑らせながら、他方の長穴部４１ｂからカメラの外側に引き出すことができるため、ストラップ紐４２の取り付け作業が容易になる。
【００３４】
また、長穴部４１ａ、４１ｂの縁の部分が、インナー部材４３によって覆われるため、この縁の部分にストラップ紐４２が接触して切断されるのを防止できるとともに、指などが縁の部分に接触して怪我するのを防止することができる。
【００３５】
そして、ストラップ取付部材４１は、ねじ４４ａおよび４４ｂによって、フロントカバ
ー１，リアカバー２およびインナー部材４３を挟み込んだ状態でベース８に固定される。
４５は三脚取り付け用のねじが切られた三脚取り付け座である。
【００３６】
そして、フロントカバー１およびリアカバー２を組み合わせた状態で、これらの側面にねじ４６ａ、４６ｂがねじ込まれ、下面にねじ４７ａ、４７ｂがねじ込まれる。これにより、フロントカバー１およびリアカバー２が固定される。
【００３７】
上述の実施例では、アナログ基板１０とデジタル基板１７とを電池５１を挟んで対向配置し、そのデジタル基板１７及びアナログ基板１０上にそれぞれデジタル信号用のＵＳＢコネクタ１７ｃ及びアナログ信号用のコネクタ５７を設けている。そして、これらのコネクタ１７ｃ、５７同士を対向させる事で電池の上面に有効な空間を作り出している。
【００３８】
また、電池５１を排出させる排出バネ５８を該空間に配置しているため、スペースを有効活用することができる。更に、残りの空間に電池接片５６を配置することで、電池接片５６を配置するスペースを他の部分に設ける必要がなくなり、カメラの小型化を達成している。また、上記構成とする事で、電磁的に遮蔽効果のある電池５１をアナログ基板１０とデジタル基板１７の干渉を防ぎつつ回路同士をより電池の基準電圧に近づける事が出来、ノイズの低減も達成している。
【００３９】
更に、電池接片５６をアナログ基板１０上に設けることにより、電位差の影響を受けやすいアナログ回路の機能を向上させている。
【００４０】
上述の実施例では、デジタル基板とアナログ基板とを用いて説明したが、デジタル回路とアナログ回路とが両方組み込まれた回路基板に対しても、本願発明を適用することができる。
【符号の説明】
【００４１】
５６  電池接片
５７  アナログコネクタ
５８  電池排出バネ
５１  電池
１０  アナログ基板
１７  デジタル基板
１７Ｃ  ＵＳＢ用コネクタ
【図１】
2010224562.tif 000003
【図２】
2010224562.tif 000004
【図３】
2010224562.tif 000005
【図４】
2010224562.tif 000006